(57)【要約】【課題】例えば災害等の緊急事態が発生した場合には、特定のユーザがネットワークカメラを使用できるようにする。【解決手段】ネットワークカメラ１１０、管理者用ＰＣ１１１、一般ユーザ用ＰＣ１１２、特権ユーザ用ＰＣ１１３がネットワーク１２０に接続されており、ネットワークカメラ１１０は、放送局１００が放出する緊急警報信号を含んだデジタルテレビ放送波を受信することができる。ネットワークカメラ１１０は、緊急警報信号に基づいて、特権を持つユーザからのアクセスのみを受付ける特権ユーザモードへ移行させる。特権ユーザモードへ移行した後は、特権ユーザのみがネットワークカメラ１１０にアクセスでき、ネットワークカメラ１１０による撮影画像を閲覧したり、ネットワークカメラ１１０を制御したりすることが可能となる。【選択図】図１
2009004891.tif 000002
【特許請求の範囲】
【請求項１】
画像を撮影する撮影手段と、
前記撮影手段による撮影画像のデータをアクセスのあった通信装置に送信する送信手段と、
イベント情報を受信する受信手段と、
前記受信手段により受信したイベント情報に基づいて、特定の通信装置のみが該撮像装置にアクセスできる特権ユーザモードへ移行させる制御手段とを備えたことを特徴とする撮像装置。
【請求項２】
前記特定の通信装置を識別するための識別情報を登録する識別情報保持手段と、
前記識別情報保持手段により登録されている識別情報に基づいて前記特定の通信装置を識別する識別手段とを備えたことを特徴とする請求項１に記載の撮像装置。
【請求項３】
前記イベント情報としてデジタルテレビ放送波の緊急警報信号を用いることを特徴とする請求項１又は２に記載の撮像装置。
【請求項４】
前記受信手段により受信したイベント情報が有効であるかどうかを判別する判別手段を備え、
前記制御手段は、前記判別手段によりイベント情報が有効であると判別された場合、前記特権ユーザモードへ移行させることを特徴とする請求項１〜３のいずれか１項に記載の撮像装置。
【請求項５】
前記イベント情報には地域情報が含まれており、
前記受信手段により受信したイベント情報に含まれる地域情報が、該撮像装置の設置地域情報と一致するかどうかを判別する判別手段を備え、
前記制御手段は、前記判別手段により地域情報が一致したと判別された場合、前記特権ユーザモードへ移行させることを特徴とする請求項１〜４のいずれか１項に記載の撮像装置。
【請求項６】
前記イベント情報にはイベントを識別するためのイベント識別情報が含まれており、
前記受信手段により受信したイベント情報に含まれるイベント識別情報が、有効なイベント識別情報であるかどうかを判別する判別手段を備え、
前記制御手段は、前記判別手段によりイベント情報が有効であると判別された場合、前記特権ユーザモードへ移行させることを特徴とする請求項１〜５のいずれか１項に記載の撮像装置。
【請求項７】
前記特権ユーザモードへ移行したことを所定の通信装置に通知する通知手段を備えたことを特徴とする請求項１〜６のいずれか１項に記載の撮像装置。
【請求項８】
前記特権ユーザモードへ移行した後であって、その特権ユーザモードの解除命令を受信した場合、前記特権ユーザモードを解除することを特徴とする請求項１〜７のいずれか１項に記載の撮像装置。
【請求項９】
前記特権ユーザモードを解除したことを所定の通信装置に通知する通知手段を備えたことを特徴とする請求項８に記載の撮像装置。
【請求項１０】
撮影画像のデータをアクセスのあった通信装置に送信する撮像装置に接続された通信装置であって、
イベント情報を受信する受信手段と、
前記受信手段により受信したイベント情報に基づいて、前記撮像装置に対して、特定の通信装置のみが前記撮像装置にアクセスできる特権ユーザモードへ移行させる移行命令を送信する送信手段とを備えたことを特徴とする通信装置。
【請求項１１】
複数の通信装置と、前記複数の通信装置のうちアクセスのあった通信装置に撮影画像のデータを送信する撮像装置とを備えたネットワークシステムであって、
イベント情報に基づいて、特定の通信装置のみが前記撮像装置にアクセスできる特権ユーザモードへ移行させる手段を備えたことを特徴とするネットワークシステム。
【請求項１２】
複数の通信装置と、前記複数の通信装置のうちアクセスのあった通信装置に撮影画像のデータを送信する撮像装置とを備えたネットワークシステムの制御方法であって、
イベント情報に基づいて、特定の通信装置のみが前記撮像装置にアクセスできる特権ユーザモードへ移行させる手順を有することを特徴とするネットワークシステムの制御方法。
【請求項１３】
画像を撮影する撮影手段と、前記撮影手段による撮影画像のデータをアクセスのあった通信装置に送信する送信手段と、イベント情報を受信する受信手段とを備えた撮像装置を制御するためのプログラムであって、
前記受信手段により受信したイベント情報に基づいて、特定の通信装置のみが該撮像装置にアクセスできる特権ユーザモードへ移行させる処理をコンピュータに実行させるためのプログラム。
【請求項１４】
撮影画像のデータをアクセスのあった通信装置に送信する撮像装置に接続された通信装置であり、イベント情報を受信する受信手段を備えた通信装置を制御するためのプログラムであって、
前記受信手段により受信したイベント情報に基づいて、前記撮像装置に対して、特定の通信装置のみが前記撮像装置にアクセスできる特権ユーザモードへ移行させる移行命令を送信する処理をコンピュータに実行させるためのプログラム。
【発明の詳細な説明】
【技術分野】
【０００１】
本発明は、撮像装置、通信装置、ネットワークシステム及びその制御方法、プログラムに関し、災害時等には特定の通信装置のみがネットワークカメラにアクセスできるようにする技術に関する。
【背景技術】
【０００２】
現在、監視や周辺の状況を紹介することを目的として、ネットワークに接続して使用するネットワークカメラが市販されている。
【０００３】
ネットワークカメラを管理する管理者は管理者用の権限を持っており、管理者用ビューアーでネットワークカメラの稼動範囲、公開する相手の設定、動き検知の設定、スケジュール設定等のネットワークカメラの有する機能の設定を行うことが可能である。一方、管理者以外のユーザは、機能が制限された状態で、ネットワークカメラによる撮影画像を閲覧したり、ネットワークカメラを制御したりすることが可能である。
【０００４】
このようなネットワークカメラでは、複数のユーザにより同時にアクセスがあったような場合等は、決められた帯域の制限から、管理者以外のユーザがアクセスできない可能性があった。
【０００５】
この種の技術に関して、特許文献１には、緊急呼出スイッチ・監視カメラ・通報用マイク・スピーカーを備え、通報信号を送信する緊急警報機器と、緊急警報機器からの通報信号を受信すると該当する監視カメラにより撮像される映像を表示部に表示する防犯監視制御サーバとを、ネットワークに接続して構成したネットワーク型緊急通報システムが開示されている。特許文献１において、緊急警報機器は、通報信号（制御データ、音声データ、映像データ）を送受信するための帯域を、所定の優先順位を有する帯域制御規則に基づき制御する帯域制御部を備えることが提案されている。
【０００６】
【特許文献１】特開２００３−３４６２６２号公報
【発明の開示】
【発明が解決しようとする課題】
【０００７】
従来のネットワークカメラでは、災害等の緊急事態が発生した場合においてもユーザの権限は変わることがないため、管理者以外のユーザはネットワークカメラによる撮影画像を閲覧できない可能性があるという問題がある。
【０００８】
例えば周辺の状況を配信するネットワークカメラでは、通常は監視目的としては使用していなくても、災害が発生した場合には、状況を素早く把握するために、公的機関等の特定のユーザのみアクセス可能な設定にするのが望まれている。これにより、帯域の確保だけでなく、特定のユーザがカメラの制御も制限することなく使用できるようになる。
【０００９】
本発明は、上記のような点に鑑みてなされたものであり、例えば災害等の緊急事態が発生した場合には、特定のユーザがネットワークカメラを使用できるようにすることを目的とする。
【課題を解決するための手段】
【００１０】
本発明の撮像装置は、画像を撮影する撮影手段と、前記撮影手段による撮影画像のデータをアクセスのあった通信装置に送信する送信手段と、イベント情報を受信する受信手段と、前記受信手段により受信したイベント情報に基づいて、特定の通信装置のみが該撮像装置にアクセスできる特権ユーザモードへ移行させる制御手段とを備えたことを特徴とする。
本発明の通信装置は、撮影画像のデータをアクセスのあった通信装置に送信する撮像装置に接続された通信装置であって、イベント情報を受信する受信手段と、前記受信手段により受信したイベント情報に基づいて、前記撮像装置に対して、特定の通信装置のみが前記撮像装置にアクセスできる特権ユーザモードへ移行させる移行命令を送信する送信手段とを備えたことを特徴とする。
本発明のネットワークシステムは、複数の通信装置と、前記複数の通信装置のうちアクセスのあった通信装置に撮影画像のデータを送信する撮像装置とを備えたネットワークシステムであって、イベント情報に基づいて、特定の通信装置のみが前記撮像装置にアクセスできる特権ユーザモードへ移行させる手段を備えたことを特徴とする。
本発明のネットワークシステムの制御方法は、複数の通信装置と、前記複数の通信装置のうちアクセスのあった通信装置に撮影画像のデータを送信する撮像装置とを備えたネットワークシステムの制御方法であって、イベント情報に基づいて、特定の通信装置のみが前記撮像装置にアクセスできる特権ユーザモードへ移行させる手順を有することを特徴とする。
本発明のプログラムは、画像を撮影する撮影手段と、前記撮影手段による撮影画像のデータをアクセスのあった通信装置に送信する送信手段と、イベント情報を受信する受信手段とを備えた撮像装置を制御するためのプログラムであって、前記受信手段により受信したイベント情報に基づいて、特定の通信装置のみが該撮像装置にアクセスできる特権ユーザモードへ移行させる処理をコンピュータに実行させることを特徴とする。
本発明のプログラムは、撮影画像のデータをアクセスのあった通信装置に送信する撮像装置に接続された通信装置であり、イベント情報を受信する受信手段を備えた通信装置を制御するためのプログラムであって、前記受信手段により受信したイベント情報に基づいて、前記撮像装置に対して、特定の通信装置のみが前記撮像装置にアクセスできる特権ユーザモードへ移行させる移行命令を送信する処理をコンピュータに実行させることを特徴とする。
【発明の効果】
【００１１】
本発明によれば、イベント情報に基づいて、特定の通信装置のみが撮像装置にアクセスできる特権ユーザモードへ移行させるので、例えば災害等の緊急事態が発生した場合には、公的機関等の特定のユーザがネットワークカメラを使用することができる。
【発明を実施するための最良の形態】
【００１２】
以下、添付図面を参照して、本発明の好適な実施形態について説明する。
（第１の実施形態）
図１に、第１の実施形態に係るネットワークシステムの構成を示す。１００は放送局である。１０４は送信アンテナである。１１０は撮像装置であるネットワークカメラである。１１１は管理者が使用するコンピュータ（管理者用ＰＣ）である。１１２は一般ユーザが使用するコンピュータ（一般ユーザ用ＰＣ）である。１１３は特権を持つユーザが使用するコンピュータ（特権ユーザ用ＰＣ）である。１２０はインターネットからなるネットワークであり、ネットワークカメラ１１０、管理者用ＰＣ１１１、一般ユーザ用ＰＣ１１２、特権ユーザ用ＰＣ１１３が接続される。一般ユーザ用ＰＣ１１２、特権ユーザ用ＰＣ１１３を１台のみ図示したが、それぞれ２台以上あってもよい。
【００１３】
放送局１００において、１０１は番組生成部であり、ニュース、ドラマ、音楽、スポーツ、映画、ショッピング、料理等の番組の画像、音声のストリームデータを生成する。１０２は警報データ生成部であり、災害等の緊急事態が発生した場合、緊急警報放送を行うために、例えば地震や津波の災害規模や発生位置等のデータを生成する。１０３は多重化送信部であり、番組生成部１０１や警報データ生成部１０２により生成されたデータをデジタルテレビトランスポート・ストリーム構造に従い多重化し、伝送信号を生成する。多重化送信部１０３により生成した伝送信号は、送信アンテナ１０４からデジタルテレビ放送波（デジタルテレビ信号）として送信され、デジタルテレビ放送波を受信するチューナを備えたネットワークカメラ１１０により受信される。
【００１４】
また、各ＰＣ１１１、１１２、１１３には、ネットワークカメラ１１０を制御して閲覧するためのアプリケーションプログラムが実装されている。管理者用ＰＣ１１１には、管理者が使用可能な機能を盛り込んだアプリケーションＡがインストールされている。一般ユーザ用ＰＣ１１２には、一般ユーザ用に機能が限定されたアプリケーションＢがインストールされている。特権ユーザ用ＰＣ１１３には、通常はアプリケーションＢと同様の機能しか使えないが、緊急事態が発生したときには使用できる機能が拡張されるアプリケーションＣがインストールされている。
【００１５】
以下、緊急警報放送について簡単に説明する。緊急警報放送の開始時には、ＴＭＣＣ（Time Multiplexing Configuration Control：伝送多重制御信号）の緊急警報放送用起動フラグを１とする。そして、ＰＭＴ（Program Map Table）に緊急情報記述子が記載される。緊急情報記述子は、無線設備規則第９の３第５号に規定される緊急警報信号に準じた信号であり、緊急警報放送を行う場合にＰＭＴにて送出される。
【００１６】
図２に、デジタルテレビ放送波に含まれる緊急情報記述子の例を示す。図２において、「ｓｔａｒｔ＿ｅｎｄ＿ｆｌａｇ」は、郵政省告示昭６０第４０５号で定められる緊急警報信号のうちの開始信号及び終了信号に対応し、１の場合は緊急警報信号が開始もしくは放送中であることを示し、０の場合は緊急警報信号が終了したことを示す。「ａｒｅａ＿ｃｏｄｅ」は、緊急警報放送の対象地域を特定するための符号であって、無線局運用規則第１３８条の３で定められる地域符号に対応し、その割り当ては郵政省告示昭６０第４０５号に規定されるものを使用する。「ｓｉｇｎａｌ＿ｌｅｖｅｌ」は、郵政省告示昭６０第４０５号で定められる緊急警報信号のうちの第一種開始信号及び第二種開始信号に対応し、大規模地震である場合には０とし、津波警報である場合には１となる。「ｓｅｒｖｉｃｅ＿ｉｄ」は、緊急警報放送又はテスト放送が行われているかを識別するための識別ＩＤであって、郵政省告示昭６０第４０５号で定められる。
【００１７】
図３に、本実施形態に係るネットワークカメラ１１０の概略構成を示す。撮像制御部３０２は、撮像素子３０１を制御することで撮影を行う。画像処理部３０３は、撮像素子３０１により取り込まれた撮影画像（動画或いは静止画）のデータを然るべきフォーマットに圧縮し、メモリ３０４に一時的に格納する。通信制御部３０６は、メモリ３０４に格納されたデータをインターフェース３０７を介して送信する。駆動制御部３０５は、インターフェース３０７を介して外部の通信装置からの制御命令を受信して、該カメラ１１０をパン・チルト制御したり、撮像制御部３０２を制御してフォーカス制御したりする。緊急警報信号検出部３０８は、チューナ３０９で受信したデジタルテレビ放送波から緊急警報信号の部分を抽出してデコードする。なお、撮像制御部３０２、画像処理部３０３、メモリ３０４、駆動制御部３０５、通信制御部３０６、緊急警報信号検出部３０８はバス３１０により接続されている。
【００１８】
次に、図４のフローチャートを参照して、本実施形態に係るネットワークカメラ１１０の処理動作について説明する。ここでは、ネットワークカメラ１１０が緊急警報信号（イベント情報）を受信して、特権を持つユーザからのアクセスのみを受付ける特権ユーザモードへ移行するまでの処理の流れを説明する。緊急警報信号検出部３０８は、チューナ３０９から送られるデジタルテレビトランスポート・ストリームを解析して、緊急警報信号を検出する。
【００１９】
ステップＳ００１では、緊急警報放送用起動フラグが１であるかどうかをチェックする。緊急警報放送用起動フラグが１であれば、緊急警報放送の開始であるのでステップＳ００２に進み、そうでなければ緊急警報放送の開始でないので処理を終える。
【００２０】
ステップＳ００２では、ＰＭＴに緊急情報記述子が記載されているかどうかを判別し、緊急情報記述子の記載があればステップＳ００３に進み、そうでなければ処理を終える。
【００２１】
ステップＳ００３では、緊急情報記述子の「ｓｔａｒｔ＿ｅｎｄ＿ｆｌａｇ」のビットが１であるかどうかを判定する。このビットが１であれば、緊急警報放送であることが分かるのでステップＳ００４に進み、そうでなければ処理を終える。このステップＳ００３の処理が、本発明でいうイベント情報が有効であるかどうかを判別する判別手段による処理例である。
【００２２】
ステップＳ００４では、緊急情報記述子の「ａｒｅａ＿ｃｏｄｅ」が、メモリ３０４に設定されている所在地に適合するか判別する。ネットワークカメラ１１０のメモリ３０４には、緊急情報記述子の「ａｒｅａ＿ｃｏｄｅ」に対応した該カメラ１１０の所在地が予め設定されている。判別の結果、所在地に適合していればステップＳ００５に進み、そうでなければ処理を終える。このステップＳ００４の処理が、本発明でいうイベント情報に含まれる地域情報が、撮像装置の設置地域情報を一致するかどうかを判別する判別手段による処理例である。
【００２３】
ステップＳ００５では、緊急情報記述子の「ｓｉｇｎａｌ＿ｌｅｖｅｌ」の値が有効な設定になっているかどうかを判別する。ネットワークカメラ１１０のメモリ３０４には、緊急情報記述子の「ｓｉｇｎａｌ＿ｌｅｖｅｌ」の設定値である１又は０の値それぞれに対して有効無効を設定することが可能となっている。例えば、津波の影響が考えられないような場所に設置されているネットワークカメラであれば、津波警報である１を受けても無効に設定しておけばよい。判別の結果、有効な設定になっている値であればステップＳ００６に進み、そうでなければ処理を終える。
【００２４】
ステップＳ００６では、緊急情報記述子の「ｓｅｒｖｉｃｅ＿ｉｄ」の値が、メモリ３０４に保持されている値と一致するかどうかを判別する。ネットワークカメラ１１０のメモリ３０４には、緊急情報記述子の「ｓｅｒｖｉｃｅ＿ｉｄ」の設定値で有効な値が予め保持されている。判別の結果、メモリ３０４に保持されている値と一致していればステップＳ００７に進み、そうでなければ処理を終える。これらステップＳ００５、００６の処理が、本発明でいうイベント情報に含まれるイベント識別情報が、有効なイベント識別情報であるかどうかを判別する判別手段よる処理例である。
【００２５】
ステップＳ００７では、メモリ３０４に特権ユーザが登録されているかどうかを判別する。ネットワークカメラ１１０のメモリ３０４には、特権ユーザの識別情報（ＩＰアドレス及びユーザ名）が予め登録されている。判別の結果、特権ユーザが登録されていればステップＳ００８に進み、そうでなければ処理を終える。このステップＳ００７の処理が、本発明でいう識別情報保持手段により登録されている識別情報に基づいて特定の通信装置を識別する識別手段よる処理例である。
【００２６】
ステップＳ００８では、特権を持つユーザからのアクセスのみを受付ける特権ユーザモードへ移行させる。特権ユーザモードへ移行した後は、特権ユーザのみがネットワークカメラ１１０にアクセスでき、ネットワークカメラ１１０による撮影画像を閲覧したり、ネットワークカメラ１１０を制御したりすることが可能となる。また、管理者であっても特権ユーザとして登録されていなければアクセスを受付けなくなる。このステップＳ００８の処理が、本発明でいう制御手段よる処理例である。
【００２７】
ステップＳ００９では、特権ユーザモードへ移行したことを管理者用ＰＣ１１１、一般ユーザ用ＰＣ１１２、特権ユーザ用ＰＣ１１３に通知する。各ＰＣ１１１、１１２、１１３では、アプリケーションプログラムにより、ネットワークカメラ１１０からの通知を解釈してメッセージを表示する。例えば管理者用ＰＣ１１１のアプリケーションＡにおいては、「特権ユーザモードに移行したので、権限を特権ユーザに移行します」といったメッセージを表示する。一般ユーザ用ＰＣ１１２のアプリケーションＢにおいては、「特権ユーザモードに移行したので、接続を切断いたします」といったメッセージを表示し、接続を終了する。特権ユーザ用ＰＣ１１３のアプリケーションＣにおいては、「緊急警報発令によりネットワークカメラ×××が特権ユーザモードに移行しました」といったメッセージを表示し、使用可能な機能が追加される。例えば、従来は管理者により制限された稼動範囲が無くなったり、設定されていたアクセス時間がなくなったりといったように、管理者が使用しているアプリケーションＡと同様の機能にしてもよい。なお、余分な帯域を使用したくない場合には、ステップＳ００９は必ずしも実行しなくてよい。
【００２８】
次に、図５のフローチャートを参照して、本実施形態に係るネットワークカメラ１１０の処理動作について説明する。ここでは、特権ユーザモードから通常のモードに戻るまでの処理の流れを説明する。
【００２９】
ステップＳ１０１では、ステップＳ００３と同様に、緊急情報記述子の「ｓｔａｒｔ＿ｅｎｄ＿ｆｌａｇ」のビットが１であるかどうかを判別し、１であれば処理を終え（すなわち、特権ユーザモードを維持する）、０であればステップＳ１０２に進む。
【００３０】
ステップＳ１０２では、特権ユーザモードの解除命令を受信したかどうかを判別する。特権ユーザ用ＰＣ１１３のアプリケーションＣにおいて、不図示の解除ボタンにより特権ユーザモードの解除命令をネットワークカメラ１１０に送信することができる。ネットワークカメラ１１０は、インターフェース３０７を介して通信制御部３０６により特権アクセス解除命令を受信する。判別の結果、特権ユーザモードの解除命令を受信していればステップＳ１０３に進み、そうでなければ処理を終える。
【００３１】
ステップＳ１０３では、特権ユーザモードを解除して、通常のモードへ移行させる。
【００３２】
ステップＳ１０４では、特権ユーザモードを解除したことを管理者用ＰＣ１１１、特権ユーザ用ＰＣ１１３に通知する。各ＰＣ１１１、１１３では、アプリケーションプログラムにより、ネットワークカメラ１１０からの通知を解釈してメッセージを表示する。例えば管理者用ＰＣ１１１のアプリケーションＡにおいては、「特権ユーザモードを解除しました。権限を管理者に戻します」といったメッセージを表示する。特権ユーザ用ＰＣ１１３のアプリケーションＣにおいては、「特権ユーザモードの解除が終了しました」といったメッセージを表示し、特権ユーザモードの解除が成功したことを伝える。なお、特権ユーザモードでは一般ユーザ用ＰＣ１１２との接続が切断された状態にあるので、ここでは一般用ユーザＰＣ１１２には通知しないようになっている。
【００３３】
以上述べたように、緊急警報放送時には、ネットワークカメラ１１０を特定のユーザのみがアクセスできる状態にすることが可能となる。
【００３４】
（第２の実施形態）
図６に、第２の実施形態に係るネットワークシステムの構成を示す。放送局１００が緊急警報信号を含んだデジタルテレビ放送波を送信アンテナ１０４により送出する仕組みは第１の実施形態と同様である。６００は撮像装置であるネットワークカメラである。６０１は管理者が使用するコンピュータ（管理者用ＰＣ）である。ここでは管理者用ＰＣ６０１はデジタルテレビ放送波を受信することが可能であるものとする。６０２は一般ユーザが使用するコンピュータ（一般ユーザ用ＰＣ）である。６０３は特権を持つユーザが使用するコンピュータ（特権ユーザ用ＰＣ）である。６１０はインターネットからなるネットワークであり、ネットワークカメラ６００、管理者用ＰＣ６０１、一般ユーザ用ＰＣ６０２、特権ユーザ用ＰＣ６０３が接続される。一般ユーザ用ＰＣ６０２、特権ユーザ用ＰＣ６０３を１台のみ図示したが、それぞれ２台以上あってもよい。なお、緊急警報放送、及び、特権ユーザの定義は第１の実施形態で説明したものと同様であるものとする。
【００３５】
図９に、本実施形態に係るネットワークカメラ６００の概略構成を示すが、各部は図３に示したネットワークカメラ１１０の各部（チューナ３０９及び緊急警報信号検出部３０８を除く）と同様であり、ここではその詳細な説明は省略する。
【００３６】
図７に、本実施形態に係る管理者用ＰＣ６０１の概略構成を示す。中央演算装置７０１は、管理者用ＰＣ６０１の各制御部７０４、７０６、７１０及び処理部７０８に対して命令を行い、プログラムを実行する。メモリ７０２は、プログラム及びデータを一時的に格納しておくためのものである。記録制御部７１０は、ＨＤＤ等の記録メディア７１１を制御する。表示制御部７０４は、ディスプレイ７０３に表示するための画像処理を行う。通信制御部７０６は、Ethernet（登録商標）、ＵＳＢやＰＣI等のインターフェース７０７の制御を行う。第２の実施形態ではインターフェースにEthernetを用いることとする。緊急警報信号検出部７０８は、チューナ７０９で受信したデジタルテレビ放送波から緊急警報信号の部分を抽出してデコードする。なお、各制御部７０４、７０６、７１０及び検出部７０８、中央演算装置７０１、メモリ７０２はデータバス・アドレスバス・制御バスを備えたバス７０５により通信可能に接続されている。
【００３７】
次に、図８のフローチャートを参照して、本実施形態に係る管理者用ＰＣ６０１の処理動作について説明する。ここでは、管理者用ＰＣ６０１が緊急警報信号（イベント情報）を受信して、ネットワークカメラ６００に特権ユーザモードへ移行させるまでの処理の流れを説明する。緊急警報信号検出部７０８は、チューナ７０９から送られるデジタルテレビトランスポート・ストリームを解析して、緊急警報信号を検出する。
【００３８】
ステップＳ２０１では、緊急警報放送用起動フラグが１であるかどうかをチェックする。緊急警報放送用起動フラグが１であれば、緊急警報放送の開始であるのでステップＳ２０２に進み、そうでなければ緊急警報放送の開始でないので処理を終える。
【００３９】
ステップＳ２０２では、ＰＭＴに緊急情報記述子が記載されているかどうかを判別し、緊急情報記述子の記載があればステップＳ２０３に進み、そうでなければ処理を終える。
【００４０】
ステップＳ２０３では、緊急情報記述子の「ｓｔａｒｔ＿ｅｎｄ＿ｆｌａｇ」のビットが１であるかどうかを判定する。このビットが１であれば、緊急警報放送であることが分かるのでステップＳ２０４に進み、そうでなければ処理を終える。
【００４１】
ステップＳ２０４では、緊急情報記述子の「ａｒｅａ＿ｃｏｄｅ」が、記録メディア７１１に設定されている所在地に適合するか判別する。管理者用ＰＣ６０１の記録メディア７１１には、緊急情報記述子の「ａｒｅａ＿ｃｏｄｅ」に対応したネットワークカメラ６００の所在地が予め設定されている。判別の結果、所在地に適合していればステップＳ２０５に進み、そうでなければ処理を終える。
【００４２】
ステップＳ２０５では、緊急情報記述子の「ｓｉｇｎａｌ＿ｌｅｖｅｌ」の値が有効な設定になっているかどうかを判別する。管理者用ＰＣ６０１の記録メディア７１１には、緊急情報記述子の「ｓｉｇｎａｌ＿ｌｅｖｅｌ」の設定値である１又は０の値それぞれに対して有効無効を設定することが可能となっている。例えば、津波の影響が考えられないような場所に設置されているネットワークカメラであれば、津波警報である１を受けても無効に設定しておけばよい。判別の結果、有効な設定になっている値であればステップＳ２０６に進み、そうでなければ処理を終える。
【００４３】
ステップＳ２０６では、緊急情報記述子の「ｓｅｒｖｉｃｅ＿ｉｄ」の値が、記録メディア７１１に保持されている値と一致するかどうかを判別する。管理者用ＰＣ６０１の記録メディア７１１には、緊急情報記述子の「ｓｅｒｖｉｃｅ＿ｉｄ」の設定値で有効な値が予め保持されている。判別の結果、記録メディア７１１に保持されている値と一致していればステップＳ２０７に進み、そうでなければ処理を終える。
【００４４】
ステップＳ２０７では、通信制御部７０６によりEthernetインターフェース７０７を介してネットワークカメラ６００から特権ユーザの設定情報（設定の有無、ＩＰアドレス）を取得する。なお、ここでは、ネットワークカメラ６００から特権ユーザの設定情報を取得するようにしたが、予め管理者用ＰＣ６０１の記録メディア７１１に特権ユーザを設定しておいてもよい。
【００４５】
ステップＳ２０８では、特権ユーザが設定されているかどうかを判別する。判別の結果、特権ユーザが設定されていればステップＳ２０９に進み、そうでなければ処理を終える。
【００４６】
ステップＳ２０９では、通信制御部７０６によりEthernetインターフェース７０７を介して、ネットワークカメラ６００に対して特権ユーザモードへの移行命令を送信し、処理を終える。
【００４７】
次に、図１０のフローチャートを参照して、本実施形態に係るネットワークカメラ６００の処理動作について説明する。ここでは、特権ユーザモードへの移行命令を受信したときの処理の流れを説明する。
【００４８】
ステップＳ３０１では、特権ユーザモードへの移行命令を受信したかどうかを判別する。判別の結果、特権ユーザモードへの移行命令を受信していればステップＳ３０２に進み、そうでなければ処理を終える。
【００４９】
ステップＳ３０２では、特権を持つユーザからのアクセスのみを受付ける特権ユーザモードへ移行させる。なお、ステップＳ３０２は、第１の実施形態のステップＳ００８と同様であり、ここではその説明を省略する。
【００５０】
ステップＳ３０３では、特権ユーザモードへ移行したことを管理者用ＰＣ６０１に通知して、処理を終える。
【００５１】
以上述べたように、緊急警報放送時には、ネットワークカメラ６００を特定のユーザのみがアクセスできる状態にすることが可能となる。
【００５２】
（第３の実施形態）
図１１に、第３の実施形態に係るネットワークシステムの構成を示す。放送局１００が緊急警報信号を含んだデジタルテレビ放送波を送信アンテナ１０４により送出する仕組みは第１の実施形態と同様である。６００は撮像装置であるネットワークカメラである。１１０１は管理者が使用するコンピュータ（管理者用ＰＣ）である。１１０２は一般ユーザが使用するコンピュータ（一般ユーザ用ＰＣ）である。１１０３は特権を持つユーザが使用するコンピュータ（特権ユーザ用ＰＣ）である。１１０４はデジタルテレビ放送波を受信することが可能なデジタルテレビである。１１１０はインターネットからなるネットワークであり、ネットワークカメラ６００、管理者用ＰＣ１１０１、一般ユーザ用ＰＣ１００２、特権ユーザ用ＰＣ１１０３、デジタルテレビ１１０４が接続される。一般ユーザ用ＰＣ１００２、特権ユーザ用ＰＣ１００３を１台のみ図示したが、それぞれ２台以上あってもよい。なお、緊急警報放送、及び、特権ユーザの定義は第１の実施形態で説明したものと同様であるものとする。
【００５３】
図１２に、本実施形態に係るデジタルテレビ１１０４の概略構成を示す。受信アンテナ１２０１は、放送局１００から伝送されたデジタルテレビ放送波を受信する。受信部１２０２は、受信アンテナ１２０１が受信したデジタルテレビ放送波から所望の放送チャンネルを選局復調する。緊急警報検出部１２１０は、受信部１２０２で受信したデータストリームから緊急警報信号の部分を抽出する。緊急警報検出部１２１０により緊急警報と判別された場合には、通信制御部１２１１を介してネットワーク１１１０上の管理者用ＰＣ１１０１に緊急警報信号の情報を含んだパケット（緊急警報パケット）が送信される。なお、緊急警報パケットの構成は、図２に示した緊急情報記述子と同様のものとする。
【００５４】
データストリーム分離部１２０３は、緊急警報検出部１２１０を通ったデータストリームを番組データと保存データとを分離して出力する、番組復号化部１２０４は、データストリーム分離部１２０３により分離した番組データをデコードする。表示部１２０８は、番組復号化部１２０４によりデコードした信号に基づいて映像と音声を表示装置１２０９に出力する。データデコード部１２０６は、データ記録領域１２０５に記録された、データストリーム分離部１２０３により分離した保存データをデコードする。データデコード部１２０６によりデコードしたデータは画像合成部１２０７に送られ、データストリームに合成される。合成された番組コンテンツのデータは表示部１２０８を介して表示装置１２０９で表示される。
【００５５】
図１３に、本実施形態に係る管理者用ＰＣ１１０１の概略構成を示すが、各部は図７に示した管理者用ＰＣ６０１の各部（チューナ７０９及び緊急警報信号検出部７０８を除く）と同様であり、ここではその詳細な説明は省略する。
【００５６】
次に、図１４のフローチャートを参照して、本実施形態に係る管理者用ＰＣ１１０１の処理動作について説明する。ここでは、管理者用ＰＣ１１０１がデジタルテレビ１１０４から緊急警報パケット（イベント情報）を受信して、ネットワークカメラ６００に特権ユーザモードへ移行させるまでの処理の流れを説明する。
【００５７】
ステップＳ４０１では、通信制御部１３０６によりEthernetインターフェース１３０７を介して緊急警報パケットを受信し、ステップＳ４０２に進む。
【００５８】
ステップＳ４０２では、緊急警報パケットの「ｓｔａｒｔ＿ｅｎｄ＿ｆｌａｇ」のビットが１であるかどうかを判定する。このビットが１であれば、緊急警報放送であることが分かるのでステップＳ４０３に進み、そうでなければ処理を終える。
【００５９】
ステップＳ４０３では、緊急警報パケットの「ａｒｅａ＿ｃｏｄｅ」が、記録メディア１３１１に設定されている所在地に適合するか判別する。管理者用ＰＣ１１０１の記録メディア１３１１には、緊急警報パケットの「ａｒｅａ＿ｃｏｄｅ」に対応したネットワークカメラ６００の所在地が予め設定されている。判別の結果、所在地に適合していればステップＳ４０４に進み、そうでなければ処理を終える。
【００６０】
ステップＳ４０４では、緊急警報パケットの「ｓｉｇｎａｌ＿ｌｅｖｅｌ」の値が有効な設定になっているかどうかを判別する。管理者用ＰＣ１１０１の記録メディア１３１１には、緊急警報パケットの「ｓｉｇｎａｌ＿ｌｅｖｅｌ」の設定値である１又は０の値それぞれに対して有効無効を設定することが可能となっている。例えば、津波の影響が考えられないような場所に設置されているネットワークカメラであれば、津波警報である１を受けても無効に設定しておけばよい。判別の結果、有効な設定になっている値であればステップＳ４０５に進み、そうでなければ処理を終える。
【００６１】
ステップＳ４０５では、緊急警報パケットの「ｓｅｒｖｉｃｅ＿ｉｄ」の値が、記録メディア１３１１に保持されている値と一致するかどうかを判別する。管理者用ＰＣ１１０１の記録メディア１３１１には、緊急情報記述子の「ｓｅｒｖｉｃｅ＿ｉｄ」の設定値で有効な値が予め保持されている。判別の結果、記録メディア１３１１に保持されている値と一致していればステップＳ４０６に進み、そうでなければ処理を終える。
【００６２】
ステップＳ４０６では、通信制御部１３０６によりEthernetインターフェース１３０７を介してネットワークカメラ６００から特権ユーザの設定情報（設定の有無、ＩＰアドレス）を取得する。なお、ここでは、ネットワークカメラ６００から特権ユーザの設定情報を取得するようにしたが、予め管理者用ＰＣ１１０１の記録メディア１３１１に特権ユーザを設定しておいてもよい。
【００６３】
ステップＳ４０７では、特権ユーザが設定されているかどうかを判別する。判別の結果、特権ユーザが設定されていればステップＳ４０８に進み、そうでなければ処理を終える。
【００６４】
ステップＳ４０８では、通信制御部１３０６によりEthernetインターフェース１３０７を介して、ネットワークカメラ６００に対して特権ユーザモードへの移行命令を送信し、処理を終える。
【００６５】
以上述べたように、緊急警報放送時には、ネットワークカメラ６００を特定のユーザのみがアクセスできる状態にすることが可能となる。
【００６６】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００６７】
この場合、記憶媒体から読み出されたプログラムコード自体が上述した実施形態の機能を実現することになり、プログラムコード自体及びそのプログラムコードを記憶した記憶媒体は本発明を構成することになる。
【００６８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６９】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００７０】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【産業上の利用可能性】
【００７１】
本発明を実施することで、大地震や津波等の災害時におけるデジタルテレビ信号に含まれる緊急警報放送を用いて、ネットワークカメラを特定の通信機器のみがアクセスできる状態にすることができ、公的機関等が素早く状況を判断するのに役立てることができる。
【図面の簡単な説明】
【００７２】
【図１】第１の実施形態に係るネットワークシステムの構成を示す図である。
【図２】デジタルテレビ放送波に含まれる緊急情報記述子の一例を示す図である。
【図３】第１の実施形態に係るネットワークカメラの概略構成を示すブロック図である。
【図４】第１の実施形態に係るネットワークカメラの処理動作を説明するためのフローチャートである。
【図５】第１の実施形態に係るネットワークカメラの処理動作を説明するためのフローチャートである。
【図６】第２の実施形態に係るネットワークシステムの構成を示す図である。
【図７】第２の実施形態に係る管理者用ＰＣの概略構成を示すブロック図である。
【図８】第２の実施形態に係る管理者用ＰＣの処理動作を説明するためのフローチャートである。
【図９】第２の実施形態に係るネットワークカメラの概略構成を示すブロック図である。
【図１０】第２の実施形態に係るネットワークカメラの処理動作を説明するためのフローチャートである。
【図１１】第３の実施形態に係るネットワークシステムの構成を示す図である。
【図１２】第３の実施形態に係るデジタルテレビの概略構成を示すブロック図である。
【図１３】第３の実施形態に係る管理者用ＰＣの概略構成を示すブロック図である。
【図１４】第３の実施形態に係る管理者用ＰＣの処理動作を説明するためのフローチャートである。
【符号の説明】
【００７３】
１００                    放送局
１０４                    送信アンテナ
１１０、６００            ネットワークカメラ
１１１、６０１、１１０１  管理者用ＰＣ
１１２、６０２、１１０２  一般ユーザ用ＰＣ
１１３、６０３、１１０３  特権ユーザ用ＰＣ
【図１】
2009004891.tif 000003
【図２】
2009004891.tif 000004
【図３】
2009004891.tif 000005
【図４】
2009004891.tif 000006
【図５】
2009004891.tif 000007
【図６】
2009004891.tif 000008
【図７】
2009004891.tif 000009
【図８】
2009004891.tif 000010
【図９】
2009004891.tif 000011
【図１０】
2009004891.tif 000012
【図１１】
2009004891.tif 000013
【図１２】
2009004891.tif 000014
【図１３】
2009004891.tif 000015
【図１４】
2009004891.tif 000016